(57)【要約】【課題】  信号伝送における利得の減衰をできるだけ少なくして感度が高くし、できる限りノイズの少ない音声を再生でき、また重量バランスに優れた携帯移動端末用ヘッドホン装置及び携帯移動端末装置を提供する。【解決手段】  パッチアンテナ１１ａ，１２ａは、アンテナとＬＮＡが形成された平面素子であり、平面偏波を受信するのに適している。これを、ユーザが装着したときに頭部上部の位置するバンド部２０に左右対象に一対備える。こうすることにより、頭上にあれば、人体が障害となって電波を遮り信号の利得減衰も起こすことがなく、また左右対称位置に配しているので、ヘッドホン自体の重量バランスが保たれる。しかも、受信方向を同一方向に向けて取り付けてあり、ダイバーシティ方式のアンテナとして使用でき、受信電力を合成することにより、感度を向上させることができる。【選択図】  図１
2006094386.tif 000002
【特許請求の範囲】
【請求項１】
電波により送信された情報を受信し、音声情報を出力するためのスピーカーを有した携帯移動端末用ヘッドホン装置において、
装着した際に上方に位置し、少なくとも映像情報または音声情報のいずれかが重畳された放送信号を受信するためのアンテナと、
前記アンテナで受信した放送信号の所定の利得レベルに増幅するためのアンプと、
前記アンプで増幅された放送信号を携帯移動端末に接続して出力するための第一の接続手段と、
前記第一の接続手段から出力された放送信号のうち、携帯移動端末によって復号化された音声情報を前記スピーカーに入力するための第二の接続手段とを有したことを特徴とするヘッドホン装置。
【請求項２】
請求項１に記載のヘッドホン装置において、
アンテナはヘッドホン装置の右側及び左側に一対で配置され、
アンプも各アンテナ毎に設けられたことを特徴とするヘッドホン装置。
【請求項３】
アンテナは、パッチアンテナであることを特徴とするヘッドホン装置。
【請求項４】
請求項１乃至３のいずれかに記載のヘッドホン装置に接続された携帯移動端末装置において、
アンテナは複数個設けられ、アンプは対応するアンテナの数だけ設けられ、
各アンテナから受信した放送信号を合成するための合成手段を設けたことを特徴とする携帯移動端末装置。
【請求項５】
請求項４に記載の携帯移動端末装置において、
互いのアンテナの受信方向は同じ方向であることを特徴とする携帯移動端末装置。
【請求項６】
請求項４又は５に記載の携帯移動端末装置において、
前記アンテナは、パッチアンテナであることを特徴とする携帯移動端末装置。
【発明の詳細な説明】
【技術分野】
【０００１】
本発明は、衛星放送等の電波を受信して音声情報を出力する携帯移動端末用ヘッドホン装置及び携帯移動端末装置に関する。
【背景技術】
【０００２】
近年、衛星を用いて様々の放送サービスが行われている。その中で、移動中に多チャンネルのデジタル放送サービスが楽しめるモバイル放送が注目を浴びている。図５に、モバイル放送のシステム構成図を示す。これらシステムは、放送センター１００、放送衛星局１０１、ギャップフィラー１０２から構成され、ユーザは、携帯移動端末１０３や車載用端末１０４を使ってサービスを受ける。
【０００３】
放送センター１０１は、衛星放送局１０１へ、Ｋｕ  Ｂａｎｄの電波で番組情報を伝送する。一般には、衛星放送局１０１から２．６ＧＨｚの衛星波で携帯移動端末１０３や車載用端末１０４に情報を伝達する。この衛星波が届かないところは、ギャップフィラー１０２と呼ばれる地上再送設備を設置して、カバーする。
【０００４】
モバイル放送のサービスに利用する衛星は、このサービス専用の衛星であり、衛星に備えられたアンテナから、従来のＢＳやＣＳに比べて７〜１０倍強い電波を送出するので、端末側は小型のアンテナで移動中も受信できるようになっている。端末側１０３，１０４では、受信できる電波のなかで品質の良い順に電波を最大で１２本選び、１本に合成することによって、受信品質を高める工夫がされている。
【０００５】
さて、モバイル放送のような電波を受信するためには、アンテナが必要である。ところが、２．６ＧＨｚなどの高周波電波では減衰が起こりやすく、携帯移動端末などのアンテナでは、例えばユーザの持ちようによっては、人体の影となる位置で操作をする可能性もあり、利得の減衰を起こしてしまう。このため、ユーザの頭部に装着するヘッドホンにアンテナを備えたものが、例えば、特許文献１に開示されている。
【特許文献１】特願平０９−２７０７２９号公報
【発明の開示】
【発明が解決しようとする課題】
【０００６】
しかしながら、このヘッドホン装置は、アンテナを備えたものではあるが、アンプは携帯移動端末側に備えられている。ところが、前述のように、高周波数の電波を受信した場合、コードや接続部でも信号が大きく減衰する。特に音楽放送の場合は高音質が求められるのに対し、ノイズが多い信号を再生してしまうおそれがある。
また、アンテナは１本のため、感度にムラができると同時に、装着した場合に、左右の重さが異なり、バランスが悪くなる問題があった。
【０００７】
本発明の目的は、信号伝送における利得の減衰をできるだけ少なくして感度が高くし、できる限りノイズの少ない音声を再生でき、また重量バランスに優れた携帯移動端末用ヘッドホン装置及び携帯移動端末装置を提供しようとするものである。
【課題を解決するための手段】
【０００８】
本発明は、電波により送信された情報を受信し、音声情報を出力するためのスピーカーを有した携帯移動端末用ヘッドホン装置において、装着した際に上方に位置し、少なくとも映像情報または音声情報のいずれかが重畳された放送信号を受信するためのアンテナと、前記アンテナで受信した放送信号の所定の利得レベルに増幅するためのアンプと、前記アンプで増幅された放送信号を携帯移動端末に接続して出力するための第一の接続手段と、前記第一の接続手段から出力された放送信号のうち、携帯移動端末によって復号化された音声情報を前記スピーカーに入力するための第二の接続手段とを有したことを特徴とする。
【０００９】
また、アンテナはヘッドホン装置の右側及び左側に一対で配置され、アンプも各アンテナ毎に設けられたことが望ましい。
【００１０】
また、本発明は、前記ヘッドホン装置に対応して接続された携帯移動端末装置において、アンテナは複数個設けられ、アンプは対応するアンテナの数だけ設けられ、各アンテナから受信した放送信号を合成するための合成手段を設けたことを特徴とする。
【００１１】
また、互いのアンテナの受信方向は同じ方向であることが望ましい。さらに、アンテナはパッチアンテナであることが望ましい。
【発明の効果】
【００１２】
本発明によれば、アンテナがヘッドホンの上方に位置していることにより、端末の使用状態や方向に拘わらずアンテナ利得の低減を防止することが可能になるのと同時に、アンプも備えていることにより、アンテナで受信した放送信号が端末に到達するまでに生じる無駄な減衰を未然に防止し、一定の利得レベルを維持することが可能になる。
【００１３】
また、アンテナ及びアンプを左右に一対設けたので、重さによるヘッドホン装置の装着しながら歩行あるいはジョギング等の移動時におけるヘッドホンの片側への偏りを防止することができる。
【００１４】
また、アンテナを複数設けたので、ダイバーシティ方式で受信した放送信号の利得レベルがより高い状態になるように設定することが可能になる。互いのアンテナの受信方向は同じ方向であれば、さらに利得レベルがより高い状態になる。
【発明を実施するための最良の形態】
【００１５】
以下、本発明の実施の形態を添付図面を参照して説明する。
図１は、本発明に係るヘッドホン装置の実施形態を示す外観図である。図２は、本発明に係る携帯移動端末の実施形態を示す外観図である。図３は、このヘッドホン装置と携帯移動端末のブロック図である。
【００１６】
図１（ａ）は、ヘッドホン形式のものであり、（ｂ）はイヤホン形式のものである。この２形式の違いは、（ａ）は頭部上部に接触して固定するバンド１８を備え、（ｂ）はバンド１８を備えていない代わりに耳掛け部１９を備えていることと、アンテナの装着位置が異なる点である。
【００１７】
図１（ａ）に示すヘッドホン形式のヘッドホン１ａは、アンテナとＬＮＡ（Low Noise Amplifier）を備えたチップ状のパッチアンテナ１１ａ，１２ａと、スピーカー１３ａ，１４ａと、スピーカー用リード線１５ａと、アンテナ用リード線１６ａと、ヘッドホン用端子（プラグ）１７ａと、アンテナ用端子（プラグ）１８ａ，１９ａと、ベルト２０とから構成される。
【００１８】
パッチアンテナ１１ａ，１２ａは、アンテナとＬＮＡが形成された平面素子であり、平面偏波を受信するのに適している。これを、ユーザが装着したときに頭部上部の位置するバンド部２０に左右対象に一対備える。こうすることにより、頭上にあれば、人体が障害となって電波を遮り信号の利得減衰も起こすことがなく、また左右対称位置に配しているので、ヘッドホン自体の重量バランスが保たれ、例えばジョギング等をおこなっても、頭部からヘッドホンが脱落することも少ない。しかも、受信方向を同一方向に向けて取り付けてあり、ダイバーシティ方式のアンテナとして使用でき、受信電力を合成することにより、感度を向上させることができる。
【００１９】
図１（ｂ）に示すイヤホン形式のヘッドホン１ｂは、アンテナとＬＮＡ（Low Noise Amplifier）を備えたチップ状のパッチアンテナ１１ｂ，１２ｂと、スピーカー１３ｂ，１４ｂと、スピーカー用リード線１５ｂと、アンテナ用リード線１６ｂと、ヘッドホン用端子（プラグ）１７ｂと、アンテナ用端子（プラグ）１８ｂ，１９ｂと、耳掛け部２１，２２とから構成される。
【００２０】
パッチアンテナ１１ｂ，１２ｂは、スピーカー１３ｂ，１４ｂの両外側面に取り付けられている。この場合は、ヘッドホン方式とは異なり、受信方向を同一にすることは難しいが、スピーカー部に取り付けているので、デザイン的には優れたものが形成できる。
【００２１】
図２に示すように、携帯移動端末２は、外観上は、切替ＳＷ付き外部アンテナ端子４１，４２と、ヘッドホン端子３７と、表示部４１と、操作部４２とを備えている。外部アンテナ端子（孔）４１，４２にヘッドホンのアンテナ用端子（プラグ）１８ａ，１９ａ，１８ｂ，１９ｂを差し込み、外部ヘッドホン端子３７にヘッドホンのヘッドホン用端子（プラグ）１７ａ，１７ｂを差し込む。詳しくは、後述するが内部にアンテナを備え、ヘッドホンのアンテナと切り変え可能となっている。
【００２２】
図３のブロック図に示すように、モバイル放送の受信装置としては、ヘッドホン１と携帯移動端末２とからなる。ヘッドホン１は、外部アンテナ３１，３２と、外部ＬＮＡ３３，３４と、スピーカユニット３５とから構成される。前述のヘッドホンの実施携帯では、外部アンテナと、外部ＬＮＡは一体となっていたが、ここでは、機能説明であるので、区別して記載する。携帯移動端末２は、切替ＳＷ付き外部アンテナ端子３１，３２と、内蔵アンテナ４３，４４と、内蔵ＬＡＮ４５，４６と、フロントエンドユニット４８と、バックエンドユニット４９と、液晶表示部５１０とから構成される。
【００２３】
ヘッドホン１の外部アンテナ３１，３２を介して受信した信号は、外部ＬＮＡ３３，３４によりケーブルやアンテナ端子での損失を補償するため増幅され、携帯移動端末２の切替ＳＷ付き外部アンテナ端子４１，４２に入力される。一方、携帯移動端末２にも内蔵アンテナ４３，４４が備えられており、この内蔵アンテナ４３，４４を介して受信した信号は内蔵ＬＡＮ４５，４６で増幅され、切替ＳＷ付き外部アンテナ端子４１，４２に入力される。切替ＳＷ付き外部アンテナ端子４１，４２にはＳＷがついており、外部アンテナ２１，２２を接続しないときは、内蔵アンテナ４３，４４をフロントエンドユニット４８に接続するようになっている。
【００２４】
ヘッドホンアンテナ３１，３２を接続しない場合、内蔵アンテナ４３，４４で携帯移動端末の場所で受信できない場合、例えば、衛星と受信機の間に視聴者の体が入った場合や、携帯移動端末がバッグ等にしまわれて、障害物がある場合などが発生する。従って、移動しながら使用する場合は、ヘッドホンアンテナ３１，３２を接続し、切替ＳＷ付き外部アンテナ端子４１，４２でヘッドホンアンテナからの信号を用いる。こうすることで、ヘッドホンアンテナ３１，３２は頭上にあり、衛星との間に障害物がはいることはほとんどなく、いつも安定な受信が可能となる。ヘッドホンが手元にない場合や、携帯移動端末を固定で使用する場合もあり、内蔵アンテナ４３，４４を携帯移動端末に備えている。
【００２５】
なお、アンテナは２個であるが、これに限らず３個以上あってもよい。その場合は、ＬＮＡもアンテナの数だけ配置する。また、これらアンテナはすべて受信方向を同一方向に向けているのが望ましい。詳しくは後述するが、受信信号を合成して感度を向上させることができるからである。
【００２６】
フロントエンドユニット４８は、放送波のＲＦ信号処理を行う２個のアンテナの信号を合成して感度を高めるダイバーシティ機能を有する。従って、フロントエンドユニット４８に入力されたＲＦ信号は、ダイバーシティ機能で最大３ｄＢの感度アップが可能であり、信号処理されてベースバンドに変換される。
バックエンドユニット４９は、ベースバンド信号を処理して、液晶表示部５１に信号を送り、表示を行うとともに、音声信号もヘッドホン端子を介してヘッドホンスピーカ３５に出力する。
【００２７】
図４にヘッドホン装置の他の例を示す。
（ａ）は、ヘッドホンのネックバンド６１にパッチアンテナ６２を２個装着した例である。
【００２８】
（ｂ）は、ヘッドホン側に１個のパッチアンテナ６２を配置し、携帯移動端末６３の１個の内臓アンテナと組み合わせてダイバーシティアンテナとして使用する例である。前記の実施形態においては、切替ＳＷ付き外部アンテナ端子によって、内蔵アンテナと外部アンテナのいずれか一方の信号を選択していたが、本実施形態では、内蔵アンテナと外部アンテナの両方の信号を用いて、フロントエンドユニットで信号合成を行い、感度を高める。
【００２９】
（ｃ）は、アンテナ用ケーブルとヘッドホン用ケーブルを兼用して使用する例である。図１の実施形態では、ヘッドホンと携帯移動端末の間は、アンテナ用ケーブル２本とヘッドホン用のケーブル１本の３本が使われている。信号を多重化することで、ケーブル本数を減らしてヘッドホン用ケーブルの兼用を可能とした。そのため、接続プラグ６４も一つでよい。
【００３０】
（ｄ）は、棒アンテナ６５をバンド６６の中に仕込んだ例である。
【００３１】
（ｅ）は、棒アンテナ６５をスピーカー６７に仕込み、さらに接続プラグ６８を一体化した例である。図１の実施形態では、アンテナ端子を２個、ヘッドホン端子を１個の３つを接続する必要がある。これら３つを一体型にして設計することで、１個の端子６７で接続する。
【００３２】
（ｆ）は、ヘッドホンのケーブル６９の一部を棒アンテナ６５として使用する例である。
【図面の簡単な説明】
【００３３】
【図１】本発明に係るヘッドホン装置の実施形態を示す外観図である。
【図２】本発明に係る携帯移動端末装置の実施形態を示す外観図である。
【図３】本発明に係るヘッドホン装置及び携帯移動端末を示すブロック図である。
【図４】ヘッドホン装置の他の例を示す概略図である。
【図５】モバイル放送におけるシステムを示す概略図である。
【符号の説明】
【００３４】
１，１ａ，１ｂ  ヘッドホン
２  携帯移動端末
１１ａ，１１ｂ，１２ａ，１２ｂ  パッチアンテナ
１３ａ，１３ｂ，１４ａ，１４ｂ  スピーカー
１５ａ，１５ｂ  ヘッドホン用ケーブル
１６ａ，１６ｂ  アンテナ用ケーブル
１７ａ，１７ｂ  ヘッドホン用プラグ
１８ａ，１８ｂ，１９ａ，１９ｂ  アンテナ用プラグ
２０  バンド
２１，２２  耳掛け部
３１，３２  外部アンテナ
３３，３４  外部ＬＮＡ
３５  ヘッドホン・スピーカ・ユニット
４１，４２  切替ＳＷ付き外部アンテナ端子
４３，４４  内蔵アンテナ
４５，４６  内蔵ＬＮＡ
４７  ヘッドホン端子
４８  フロントエンドユニット（合成手段）
４９  バックエンドユニット
５１  液晶表示部
【図１】
2006094386.tif 000003
【図２】
2006094386.tif 000004
【図３】
2006094386.tif 000005
【図４】
2006094386.tif 000006
【図５】
2006094386.tif 000007